(57)【特許請求の範囲】
【請求項１】
情報サービスシステムの利用者として登録された会員の情報ファイルを保管する情報記憶装置であって、
前記登録された会員から広域情報ネットワークを介して送付された任意の情報ファイルを記憶するとともに、記憶された情報ファイルの編集及び削除が禁止される第１の記憶部と、
前記第１の記憶部に記憶された情報ファイルから派生した所定形式の情報ファイルを記憶するとともに、記憶された情報ファイルが共有または公開される第２の記憶部と、
前記第１の記憶部に記憶された情報ファイルが前記所定形式の情報ファイルか否かを判定する情報ファイル判定部と、
情報ファイルを前記所定形式の情報ファイルに変換するファイル変換部と、
前記第１の記憶部に記憶された情報ファイル及び前記第２の記憶部に記憶された情報ファイルを管理する記憶管理部と、を備え、
前記記憶管理部は、
前記第１の記憶部に記憶されたファイルの複製を前記第２の記憶部に記憶するとき、前記情報ファイル判定部が、前記複製が前記所定形式でないと判定した場合には、前記ファイル変換部により前記複製を前記所定形式の情報ファイルに変換して前記第２の記憶部に記憶し、
さらに、前記記憶管理部は、前記第２の記憶部に記憶された情報ファイルに係る情報共有グループメンバーを指定する情報を受信した場合に、会員のＩＤか否かを判別し、会員のＩＤと判別した場合は、前記受信した情報共有グループメンバーを指定する情報を前記情報共有グループメンバーに通知し、会員のＩＤでないと判別した場合は、前記受信した情報共有グループメンバーを指定する情報を前記記憶管理部に登録した後に前記情報共有グループメンバーに通知することを特徴とする情報記憶装置。
【請求項２】
請求項１記載の情報記憶装置において、
前記記憶管理部は、前記広域情報ネットワークを介して前記会員から送付された前記所定形式の情報ファイルを前記第２の記憶部に記憶すると共に、前記広域情報ネットワークを介して前記登録された会員から送付された情報ファイルが前記所定形式と異なる形式の場合には、前記ファイル変換部により前記所定形式に変換して前記第２の記憶部に記憶することを特徴とする情報記憶装置。
【請求項３】
請求項２記載の情報記憶装置において、さらに、
前記会員に関する情報を記憶する会員データベースと、
前記広域情報ネットワークを介して受信した会員登録要求に応じて、前記会員を特定する会員識別情報を前記会員データベースに登録すると共に、前記会員識別情報が前記会員データベースに登録された会員が使用できる第２の記憶エリアを前記第２の記憶部に設定する会員管理部と、を有し、
前記会員管理部は、
前記広域情報ネットワークを介して受信した記憶エリア購入要求に含まれる前記会員識別情報で特定される前記会員が使用する第１の記憶エリアを前記第１の記憶部に、当該記憶エリア購入要求で指定された容量を所定期間に渡って使用可能に設定する第１の記憶設定部と、
前記第１の記憶エリアを設定する料金を前記記憶エリア購入要求に含まれる前記会員識別情報で特定される前記会員に課金する課金管理部と、を含むことを特徴とする情報記憶装置。
【請求項４】
請求項３の情報記憶装置において、
前記会員管理部は、
前記広域情報ネットワークを介して受信した機器登録要求に含まれる外部機器または前記外部機器に接続された第２の外部機器を特定する機器特定情報を、前記機器登録要求に含まれる前記会員識別情報に関連付けて前記会員データベースに登録する機器情報登録部を含み、
前記機器情報登録部が登録した前記機器特定情報に応じたサイズの記憶スペースを前記会員識別情報で特定される会員に割り当てられた前記第２の記憶エリアに追加することを特徴とする情報記憶装置。
【請求項５】
請求項４記載の情報記憶装置において、
前記会員管理部は、
前記第１の記憶設定部が、前記第１の記憶部に含まれる前記第１の記憶エリアの内、使用期限に達した第３の記憶エリアを抽出し、前記第３の記憶エリアの前記使用期限を所定期間だけ延長するよう設定し、
前記課金管理部が、前記第３の記憶エリアを使用する前記会員に対して前記使用期限を所定期間だけ延長する料金を課金することを特徴とする情報記憶装置。
【請求項６】
請求項５記載の情報記憶装置において、
前記記憶管理部は、
前記第２の記憶部に記憶された前記情報ファイルの複製を、前記情報記憶装置にローカルエリアネットワーク（ＬＡＮ）を介して接続されたバックアップ記憶装置に記憶し、前記第１の記憶部に記憶された前記情報ファイルの複製を、前記バックアップ記憶装置に記憶すると共に、前記バックアップ記憶装置より地理的に遠方に設置されたリモートバックアップ記憶装置に記憶することを特徴とする情報記憶装置。
【請求項７】
請求項６記載の情報記憶装置において、
前記記憶管理部は、前記第２の記憶部に記憶された前記情報ファイルの複製を、構内情報ネットワークを経由して前記バックアップ記憶装置に記憶し、前記第１の記憶部に記憶された前記情報ファイルの複製を、構内情報ネットワークを経由して前記バックアップ記憶装置に記憶すると共に、前記広域情報ネットワークを経由して前記リモートバックアップ記憶装置に記憶することを特徴とする情報記憶装置。
【請求項８】
請求項５記載の情報記憶装置において、
前記広域情報ネットワークを介して受信した前記情報ファイルを送信した前記外部機器を特定する外部機器特定部をさらに有し、
前記記憶管理部は、
前記広域情報ネットワーク受信した情報ファイル保存要求に含まれる前記情報ファイルを、前記外部機器特定部が特定した当該保存要求を送信した前記外部機器に対して予め設定された保存先情報に従って、前記第１の記憶エリアまたは前記第２の記憶エリアに保存することを特徴とする情報記憶装置。
【請求項９】
請求項５記載の情報記憶装置において、
前記情報ファイル判定部は、前記第２の記憶部に記憶しようとする第３の情報ファイルのサイズ叉は情報ファイルが含む情報の種類叉はファイルフォーマットの少なくとも１つを判定するとともに、
静止画像ファイル、動画像ファイル、音声ファイルの少なくとも１つを前記所定形式の情報ファイルと判定することを特徴とする情報記憶装置。
【請求項１０】
情報記憶装置と情報サービスシステムの利用者として登録された会員が操作する外部機器とが広域情報ネットワークに接続された情報サービスシステムであって、
前記情報記憶装置は、
前記外部機器から広域情報ネットワークを介して送付された任意の情報ファイルを記憶するともに、記憶された情報ファイルの編集及び削除が禁止される第１の記憶部と、
前記第１の記憶部に記憶された前記情報ファイルから派生した所定形式の情報ファイルを記憶するとともに、記憶された情報ファイルが共有または公開される第２の記憶部と、
前記第１の記憶部に記憶された情報ファイルが前記所定形式の情報ファイルか否かを判定する情報ファイル判定部と、
前記情報ファイルを前記所定形式の情報ファイルに変換するファイル変換部と、
前記第１の記憶部に記憶された情報ファイル及び前記第２の記憶部に記憶された情報ファイルを管理する記憶管理部とを備え、
前記外部機器は、
前記情報ファイルを記憶する記憶媒体と、
前記記憶媒体に記憶された前記情報ファイルを選択する情報ファイル選択部と、
前記情報ファイル選択部で選択した前記情報ファイルを前記広域情報ネットワークを介して前記情報記憶装置に送信する情報ファイル送信部とを備え、
前記記憶管理部は、
前記第１の記憶部に記憶されたファイルの複製を前記第２の記憶部に記憶するとき、前記情報ファイル判定部が、前記複製が前記所定形式でないと判定した場合には、前記ファイル変換部により前記複製を前記所定形式の情報ファイルに変換して前記第２の記憶部に記憶し、
さらに、前記記憶管理部は、前記第２の記憶部に記憶された情報ファイルに係る情報共有グループメンバーを指定する情報を受信した場合に、会員のＩＤか否かを判別し、会員のＩＤと判別した場合は、前記受信した情報共有グループメンバーを指定する情報を前記情報共有グループメンバーに通知し、会員のＩＤでないと判別した場合は、前記受信した情報共有グループメンバーを指定する情報を前記記憶管理部に登録した後に前記情報共有グループメンバーに通知することを特徴とする情報サービスシステム。
【請求項１１】
請求項１０記載の情報サービスシステムにおいて、
前記外部機器は、
前記情報ファイル選択部でされた前記情報ファイルを前記所定形式の情報ファイルに変換する第２の情報ファイル変換部と、
前記情報ファイル選択部でされた前記情報ファイル叉は前記第２の情報ファイル変換部で変換された所定形式の情報ファイルの送付先を前記第１の記憶部及び前記第２の記憶部から選択する送付先選択部を更に有し、
前記情報記憶装置の前記記憶管理部は、
前記外部機器から前記広域情報ネットワークを介して前記第２の記憶部を選択して送付された前記情報ファイルが前記所定形式の情報ファイルの場合は、当該情報ファイルを前記第２の記憶部に記憶し、前記所定形式と異なる形式の情報ファイルの場合は、前記ファイル変換部により前記所定形式に変換して前記第２の記憶部に記憶することを特徴とする情報サービスシステム。
【請求項１２】
請求項１１記載の情報サービスシステムにおいて、
前記情報記憶装置は、
前記会員に関する情報を記憶する会員データベースと、
前記広域情報ネットワークを介して受信した会員登録要求に応じて、前記会員を特定する会員識別情報を前記会員データベースに登録すると共に、前記会員識別情報が前記会員データベースに登録された会員が使用できる第２の記憶エリアを前記第２の記憶部に設定する会員管理部と、をさらに有し、
前記外部機器は、
当該外部機器を特定する機器特定情報および当該外部機器の使用者を特定する使用者特定情報を記憶する機器情報メモリをさらに有し、
前記情報記憶装置の前記会員管理部は、
前記広域情報ネットワークを介して受信した記憶エリア購入要求に含まれる前記使用者特定情報で特定される前記会員が使用する第１の記憶エリアを前記第１の記憶部に、当該記憶エリア購入要求で指定された容量を所定期間に渡って使用可能に設定する第１の記憶設定部と、
前記第１の記憶エリアを設定する料金を前記記憶エリア購入要求に含まれる前記会員識別情報で特定される前記会員に課金する課金管理部と、を含むことを特徴とする情報サービスシステム。
【請求項１３】
請求項１２の情報サービスシステムにおいて、
前記外部機器は、
前記機器情報メモリに記憶された前記機器特定情報および前記使用者特定情報を含む機器登録要求を前記広域情報ネットワークを介して前記情報記憶装置に送信する機器登録要求送信部をさらに有し、
前記会員管理部は、
前記広域情報ネットワークを介して受信した前記機器登録要求に含まれる前記機器特定情報を、前記機器登録要求に含まれる前記会員識別情報に関連付けて前記会員データベースに登録する機器情報登録部を含み、
前記機器情報登録部が登録した前記機器特定情報に応じたサイズの記憶スペースを前記会員識別情報で特定される会員に割り当てられた前記第２の記憶エリアに追加することを特徴とする情報サービスシステム。
【請求項１４】
請求項１３記載の情報サービスシステムにおいて、
前記会員管理部は、
前記第１の記憶設定部が、前記第１の記憶部に含まれる前記第１の記憶エリアの内、使用期限に達した第３の記憶エリアを抽出し、前記第３の記憶エリアの使用期限を所定期間だけ延長するよう設定し、
前記課金管理部が、前記第３の記憶エリアを使用する前記会員に対して使用期限を所定期間だけ延長する料金を課金することを特徴とする情報サービスシステム。
【請求項１５】
請求項１４記載の情報サービスシステムにおいて、
前記記憶管理部は、
前記第２の記憶部に記憶された情報ファイルの複製を、前記情報記憶装置にローカルエリアネットワーク（ＬＡＮ）を介して接続されたバックアップ記憶装置に記憶し、前記第１の記憶部に記憶された情報ファイルの複製を、前記バックアップ記憶装置に記憶すると共に、前記バックアップ記憶装置より地理的に遠方に設置されたリモートバックアップ記憶装置に記憶することを特徴とする情報サービスシステム。
【請求項１６】
請求項１５記載の情報サービスシステムにおいて、
前記記憶管理部は、
前記第２の記憶部に記憶された前記情報ファイルの複製を、構内情報ネットワークを経由して前記バックアップ記憶装置に記憶し、前記第１の記憶部に記憶された前記情報ファイルの複製を、構内情報ネットワークを経由して前記バックアップ記憶装置に記憶すると共に、前記広域情報ネットワークを経由して前記リモートバックアップ記憶装置に記憶することを特徴とする情報サービスシステム。
【請求項１７】
請求項１４記載の情報サービスシステムにおいて、
前記外部機器は、
前記記憶媒体に記憶された前記情報ファイルと共に前記機器情報メモリに記憶された機器特定情報を含む情報ファイル保存要求を前記広域情報ネットワークを介して前記情報記憶装置に送信する情報ファイル保存要求送信部をさらに有し、
前記情報記憶装置は、
前記広域情報ネットワークを介して受信した前記情報ファイル保存要求に含まれる前記機器特定情報により前記情報ファイル保存要求を送信した前記外部機器を特定する外部機器特定部をさらに有し
前記記憶管理部は、
前記情報ファイル保存要求に含まれる前記情報ファイルを、前記外部機器特定部が特定した当該保存要求を送信した前記外部機器に対して予め設定された保存先情報に従って、前記第１の記憶エリアまたは前記第２の記憶エリアに保存することを特徴とする情報サービスシステム。
【請求項１８】
請求項１４記載の情報サービスシステムにおいて、
前記外部機器は、
前記記憶媒体に記憶された情報ファイルを削除する情報ファイル削除部と、
前記記憶媒体に記憶された情報ファイルの複製を含む情報ファイル保存要求を、前記第１の記憶エリアを指定して前記広域情報ネットワークを介して前記情報記憶装置に送信する情報ファイル保存要求送信部をさらに有し、
前記記憶管理部は、
前記広域情報ネットワークを介して受信した前記報ファイル保存要求に含まれる第２の情報ファイルを前記第１の記憶エリアに保存して、前記第２の情報ファイルの複製元の情報ファイルの削除を許可することを表わす削除許可情報を、前記広域情報ネットワークを介して前記外部機器に送信し、
前記削除部は、前記広域情報ネットワークを介して受信した前記削除許可情報に応じて、前記第２の情報ファイルの複製元の情報ファイルを削除して、前記第２の情報ファイルの複製元の情報ファイルが削除されたことを前記広域情報ネットワークを介して前記情報保存装置に送信し、
前記記憶管理部は、前記第２の記憶エリアにおける前記第２の情報ファイルの削除を禁止することを特徴とする情報サービスシステム。
【発明の詳細な説明】
【技術分野】
【０００１】
本発明は、情報記憶装置および情報サービスシステムに関する。
【背景技術】
【０００２】
高性能なデジタルカメラの普及により、個人でも撮影画像データを大量に保有するようになってきた。また、情報ネットワークの高速化により有料叉は無料で顧客の情報ファイルを、インターネット上のサーバで保管するサービスも広く行なわれるようになってきている。【０００３】
一方、カメラやＩＣレコーダ等の商品を購入してユーザ登録した顧客に対して、インターネット上のサーバに一定の容量の記憶領域を提供するサービスも登場している。特に、カメラやＩＣレコーダ等に無線通信機能が搭載されると、撮影した画像データや録音した音声データを無線通信機能を使って、直接サーバに送信することにより、内蔵されたメモリの記憶容量に制限されずに画像データや音声データを記録することができる。また、それらの画像データや音声データをサーバに用意された各種サービスで利用することも容易になる。そのため携帯可能な装置で生成した情報を通信により情報保存用のサーバに送信し管理する技術が提案されている。【０００４】
例えば、特許文献１には、第１及び第２の記憶領域が設定された記憶手段を有し、電子カメラから転送された撮影画像をユーザ登録前には、第１の記憶領域に記憶し、ユーザ登録後は、第１の記憶領域に記憶された画像を第２の記憶領域に移動して記憶するサーバ装置が記載されている。また、この特許文献１のサーバ装置の第２の記憶領域はカメラの台数に応じて割り当てられている。
【先行技術文献】
【特許文献】
【０００５】
【特許文献１】特開２００８−２０４０６８号公報
【発明の概要】
【発明が解決しようとする課題】
【０００６】
一般的に、情報ファイルを保存し、その情報ファイルを活用するサービスを提供するサービスサーバでは、保存された情報ファイルの安全性を高めると、それら情報ファイルの活用は制限され、情報ファイルを活用しやすくすると、安全性が低下してしまう。特に、カメラで撮影した原画像データや、ＩＣレコーダで集録した生録音データを直接、情報ネットワーク上のサーバに送信して保存し、それらの携帯機器では原画像データや生音声データを記録しないような場合には、サーバに保存したオリジナルデータは容易に失われないようにしなければならない。一方、サーバ上に保存したそれらオリジナルデータをサーバに用意された各種サービスで簡単に利用できるシステムが求められている。【０００７】
上述の特許文献１のサーバ装置では、保存されたデータの安全な保管については考慮されていない。【０００８】
本発明の目的は、ユーザから寄託された原画像データや生録音データ等の情報ファイルをネットワーク上のサービスサーバに安全に保管すると共に、それらの情報ファイルをサービスサーバが提供する多様なサービスで簡単に利用する技術を提供することにある。
【課題を解決するための手段】
【０００９】
本発明の第１の観点は、
情報サービスシステムの利用者として登録された会員の情報ファイルを保管する情報記憶装置であって、
前記登録された会員から広域情報ネットワークを介して送付された任意の情報ファイルを記憶するとともに、記憶された情報ファイルの編集及び削除が禁止される第１の記憶部と、
前記第１の記憶部に記憶された情報ファイルから派生した所定形式の情報ファイルを記憶するとともに、記憶された情報ファイルが共有または公開される第２の記憶部と、
前記第１の記憶部に記憶された情報ファイルが前記所定形式の情報ファイルか否かを判定する情報ファイル判定部と、
情報ファイルを前記所定形式の情報ファイルに変換するファイル変換部と、
前記第１の記憶部に記憶された情報ファイル及び前記第２の記憶部に記憶された情報ファイルを管理する記憶管理部と、を備え、
前記記憶管理部は、
前記第１の記憶部に記憶されたファイルの複製を前記第２の記憶部に記憶するとき、前記情報ファイル判定部が、前記複製が前記所定形式でないと判定した場合には、前記ファイル変換部により前記複製を前記所定形式の情報ファイルに変換して前記第２の記憶部に記憶し、
さらに、前記記憶管理部は、前記第２の記憶部に記憶された情報ファイルに係る情報共有グループメンバーを指定する情報を受信した場合に、会員のＩＤか否かを判別し、会員のＩＤと判別した場合は、前記受信した情報共有グループメンバーを指定する情報を前記情報共有グループメンバーに通知し、会員のＩＤでないと判別した場合は、前記受信した情報共有グループメンバーを指定する情報を前記記憶管理部に登録した後に前記情報共有グループメンバーに通知する情報記憶装置を提供する。
【００１０】
本発明の第２の観点は、
情報記憶装置と情報サービスシステムの利用者として登録された会員が操作する外部機器とが広域情報ネットワークに接続された情報サービスシステムであって、
前記情報記憶装置は、
前記外部機器から広域情報ネットワークを介して送付された任意の情報ファイルを記憶するともに、記憶された情報ファイルの編集及び削除が禁止される第１の記憶部と、
前記第１の記憶部に記憶された前記情報ファイルから派生した所定形式の情報ファイルを記憶するとともに、記憶された情報ファイルが共有または公開される第２の記憶部と、
前記第１の記憶部に記憶された情報ファイルが前記所定形式の情報ファイルか否かを判定する情報ファイル判定部と、
前記情報ファイルを前記所定形式の情報ファイルに変換するファイル変換部と、
前記第１の記憶部に記憶された情報ファイル及び前記第２の記憶部に記憶された情報ファイルを管理する記憶管理部とを備え、
前記外部機器は、
前記情報ファイルを記憶する記憶媒体と、
前記記憶媒体に記憶された前記情報ファイルを選択する情報ファイル選択部と、
前記情報ファイル選択部で選択した前記情報ファイルを前記広域情報ネットワークを介して前記情報記憶装置に送信する情報ファイル送信部とを備え、
前記記憶管理部は、
前記第１の記憶部に記憶されたファイルの複製を前記第２の記憶部に記憶するとき、前記情報ファイル判定部が、前記複製が前記所定形式でないと判定した場合には、前記ファイル変換部により前記複製を前記所定形式の情報ファイルに変換して前記第２の記憶部に記憶し、
さらに、前記記憶管理部は、前記第２の記憶部に記憶された情報ファイルに係る情報共有グループメンバーを指定する情報を受信した場合に、会員のＩＤか否かを判別し、会員のＩＤと判別した場合は、前記受信した情報共有グループメンバーを指定する情報を前記情報共有グループメンバーに通知し、会員のＩＤでないと判別した場合は、前記受信した情報共有グループメンバーを指定する情報を前記記憶管理部に登録した後に前記情報共有グループメンバーに通知する情報サービスシステムを提供する。
【発明の効果】
【００１１】
本発明によれば、ユーザから寄託された原画像データ等の情報ファイルをネットワーク上のサービスサーバに安全に保管すると共に、それらの情報ファイルをサービスファイルが提供する多様な利用サービスで簡単に利用する技術を提供することができる。
【図面の簡単な説明】
【００１２】
【図１】本発明の一実施の形態である情報記憶装置および情報サービスシステムを含む情報ネットワークの構成例を示す概念図である。
【図２】本発明の一実施の形態である情報記憶装置の構成例を示す概念図である。
【図３】本発明の一実施の形態である情報記憶装置における処理部の構成例を示す概念図である。
【図４】本発明の一実施の形態である情報記憶装置が用いる会員管理ＤＢの構成例を示す概念図である。
【図５】本発明の一実施の形態である情報記憶装置が用いる記憶領域管理ＤＢの構成例を示す概念図である。
【図６】本発明の一実施の形態である情報記憶装置が用いる記憶領域管理ＤＢの構成例を示す概念図である。
【図７】本発明の一実施の形態である情報記憶装置が用いる共有管理ＤＢの構成例を示す概念図である。
【図８】本発明の一実施の形態である情報記憶装置が用いる機器情報ＤＢの構成例を示す概念図である。
【図９】本発明の一実施の形態である情報記憶装置に接続されるバックアップシステムの構成例を示す概念図である。
【図１０】本発明の一実施の形態である情報記憶装置が用いるファイルバックアップ管理ＤＢの構成例を示す概念図である。
【図１１】本発明の一実施の形態である情報記憶装置が用いるデータベースバックアップ管理ＤＢの構成例を示す概念図である。
【図１２】本発明の一実施の形態である情報記憶装置に接続されるネットワーク端末の構成例を示す概念図である。
【図１３】本発明の一実施の形態である情報記憶装置に接続される端末装置の構成例を示す概念図である。
【図１４】本発明の一実施の形態である端末装置に接続されるアクセサリの構成例を示す概念図である。
【図１５Ａ】本発明の一実施の形態である情報サービスシステムにおける会員登録の一例を示すフローチャートである。
【図１５Ｂ】本発明の一実施の形態である情報サービスシステムにおける会員登録の一例を示すフローチャートである。
【図１６Ａ】本発明の一実施の形態である情報サービスシステムにおける端末装置の接続処理の一例を示すフローチャートである。
【図１６Ｂ】本発明の一実施の形態である情報サービスシステムにおける端末装置の接続処理の一例を示すフローチャートである。
【図１７Ａ】本発明の一実施の形態である情報サービスシステムにおける情報記憶装置への情報ファイルの寄託処理の一例を示すフローチャートである。
【図１７Ｂ】本発明の一実施の形態である情報サービスシステムにおける情報記憶装置への情報ファイルの寄託処理の一例を示すフローチャートである。
【図１８】図１７Ａおよび図１７Ｂにおけるステップ９３０の処理をさらに詳細に例示したフローチャートである。
【図１９Ａ】本発明の一実施の形態である情報サービスシステムにおいて、カメラで撮影した画像をカメラから直接に情報サービスサーバにアップロードする第２の例を示すフローチャートである。
【図１９Ｂ】本発明の一実施の形態である情報サービスシステムにおいて、カメラで撮影した画像をカメラから直接に情報サービスサーバにアップロードする第２の例を示すフローチャートである。
【図２０】本発明の一実施の形態である情報サービスシステムにおいて、保管領域の情報ファイルを削除操作から保護する処理例を示すフローチャートである。
【図２１】本発明の一実施の形態である情報サービスシステムにおいて、情報記憶装置の第２記憶装置に安全に保存されている情報ファイルを第１記憶装置に複写させる処理を示すフローチャートである。
【図２２Ａ】本発明の一実施の形態である情報サービスシステムにおいて、利用者間で情報ファイルを共有させる方法の一例を示すフローチャートである。
【図２２Ｂ】本発明の一実施の形態である情報サービスシステムにおいて、利用者間で情報ファイルを共有させる方法の一例を示すフローチャートである。
【図２３Ａ】本発明の一実施の形態である情報記憶装置および情報サービスシステムにおける情報記憶装置の情報ファイルの削除操作の一例を示すフローチャートである。
【図２３Ｂ】本発明の一実施の形態である情報記憶装置および情報サービスシステムにおける情報記憶装置の情報ファイルの削除操作の一例を示すフローチャートである。
【図２４】本発明の一実施の形態である情報サービスシステムにおける情報記憶装置から端末装置への情報ファイルのダウンロードの一例を示すフローチャートである。
【図２５】本発明の他の実施の形態である情報記憶装置および情報サービスシステムの構成例を示す概念図である。
【発明を実施するための形態】
【００１３】
本実施の形態では、一態様として、情報記憶装置に２種類の情報記憶サーバを設け、会員に有料で記憶提供を提供する第１のサーバは、会員から送信された任意の形式の情報ファイルを受け入れて記憶し、無料で記憶領域を提供する第２のサーバは所定形式の情報ファイルを受け入れて記憶する。
第２のサーバに記憶された情報ファイルは、例えば同一ＬＡＮ内のローカルバックアップシステムにローカルにバックアップされ、第２のサーバに記憶された情報ファイルは、ローカルにバックアップされると共に、広域情報ネットワークを介して地理的に離れたリモートバックアップシステムにもバックアップされる。
【００１４】
第２のサーバに記憶された情報ファイルは、当該情報ファイルを所有者が編集したり第３者と共有することを可能とし、第１のサーバに記憶された情報ファイルは第３者と共有できないし所有者でも編集できないように保護する。
【００１５】
端末装置から送信され、第１のサーバに情報ファイルとして情報データが記憶されると、第１のサーバは、端末装置側に当該情報データの削除許可情報を送信し、端末装置は、削除許可になった情報データを削除可能な状態とする。
【００１６】
また、第１のサーバに記憶された情報ファイルが端末で削除されると、その削除情報が第１のサーバに送信され第２のサーバ上の情報ファイルが、通常の削除手順では削除できないように保護される。
【００１７】
また、情報ファイルを保存先のサーバを端末装置毎に事前に設定できる。
【００１８】
以下、図面を参照しながら、本発明の実施の形態について詳細に説明する。
なお、以下の説明では、識別情報を「ＩＤ」、データベースを「ＤＢ」、インタフェースを「Ｉ／Ｆ」、と略記する。
図１は、本発明の一実施の形態である情報記憶装置および情報サービスシステムを含む情報ネットワークの構成例を示す概念図である。
【００１９】
本実施の形態の情報サービスシステムＳ１は、後述のネットワーク端末５０（外部機器）や端末装置３００（外部機器）からの情報ネットワークを経由したアクセスを受け付ける情報記憶装置１００を備えている。
【００２０】
本実施の形態の情報記憶装置１００は、情報サービスサーバ１０３と、この情報サービスサーバ１０３に接続された第１記憶装置１０１（第１の記憶部）および第２記憶装置１０２（第２の記憶部）を備えている。
【００２１】
この情報記憶装置１００には、ＬＡＮ（Ｌｏｃａｌ  Ａｒｅａ  Ｎｅｔｗｏｒｋ）１０を介してローカルバックアップシステム２００（第１バックアップ記憶装置）が接続されている。
【００２２】
情報記憶装置１００およびローカルバックアップシステム２００が接続されるＬＡＮ１０（構内情報ネットワーク）は、ゲートウェイ２０を介して、上位のインターネット３０（広域情報ネットワーク）に接続されている。
【００２３】
このインターネット３０には、情報記憶装置１００からアクセスされるリモートバックアップシステム５００（第２バックアップ記憶装置）、課金サーバ４０が接続されている。
さらに、インターネット３０には、情報記憶装置１００を利用する利用者が所有するネットワーク端末５０、端末装置３００が接続されている。
【００２４】
本実施の形態の情報サービスシステムＳ１では、利用者が所有するネットワーク端末５０や端末装置３００が送信した情報ファイルを、情報記憶装置１００で保管したり、公開したりするサービスを提供する。
【００２５】
本実施の形態の場合、一例として、情報記憶装置１００における情報ファイルの無償の保管領域のサイズは、利用者がユーザ登録した端末装置３００やアクセサリ４００の種類や属性に応じて割り当てられる。
【００２６】
なお、本実施の形態の場合、端末装置３００は、例えばカメラであり、アクセサリ４００は、当該カメラに着脱される交換レンズやストロボ、その他の付属機器である。
また、情報記憶装置１００における有償の保管領域は、利用者との契約によって利用者が所望するサイズが割り当てられる。
【００２７】
図２は、本発明の一実施の形態である情報記憶装置の構成例を示す概念図である。
図３は、本発明の一実施の形態である情報記憶装置における処理部の構成例を示す概念図である。
【００２８】
本実施の形態の情報記憶装置１００は、情報サービスサーバ１０３と、この情報サービスサーバ１０３に接続される第１記憶装置１０１および第２記憶装置１０２を備えている。
本実施の形態の場合、第１記憶装置１０１は、利用者が所有する情報ファイルを安全に保管する保管領域で、有償で利用者に提供される。第１記憶装置１０１の保管領域には、課金に応じた保存期間が設定される。
第２記憶装置１０２は、情報ファイルの保管や共有、公開などに利用される活用領域で、無償で利用者に提供される。
【００２９】
情報サービスサーバ１０３は、処理部１１０（記憶管理手段）、外部記憶Ｉ／Ｆ１２０、ネットワークＩ／Ｆ１３０（通信手段）、機器情報ＤＢ１４０、会員管理ＤＢ１５０、記憶領域管理ＤＢ１６０、共有管理ＤＢ１７０を備えている。
【００３０】
処理部１１０は、コンピュータ等で構成され、ハードウェアやソフトウェア、またはハードウェアとソフトウェアの組合せによって、図３に例示される各種の制御機能を実現する。
外部記憶Ｉ／Ｆ１２０は、第１記憶装置１０１および第２記憶装置１０２との間における情報の入出力を制御する。
【００３１】
ネットワークＩ／Ｆ１３０は、ＬＡＮ１０との間における情報の入出力を制御する。
【００３２】
本実施の形態の場合、処理部１１０は、会員登録機能１１０ａ、会員認証機能１１０ｂ、ファイル種別判定機能１１０ｃ、課金処理機能１１０ｄ、ファイル操作機能１１０ｅ、記憶エリア設定機能１１０ｆ、画像処理機能１１０ｇ、ＷＥＢページ生成機能１１０ｈ、ファイルバックアップ機能１１０ｊ、機器判定機能１１０ｋ、電子メール機能１１０ｍを備えている。
【００３３】
会員登録機能１１０ａは、後述のように、情報記憶装置１００を利用する利用者を会員として登録する処理を行う。
【００３４】
また、本実施の形態の会員登録機能１１０ａは、第１記憶装置１０１における有償の記憶エリアの内、使用期限に達した記憶エリアを抽出し、それら抽出された記憶エリアの使用期限を所定期間だけ延長するよう設定するとともに、課金処理機能１１０ｄに対して、当該使用期限に達したエリアを割り当てられた会員の決済口座を管理する課金サーバ４０に対して、使用期限を所定期間だけ延長する料金を課金する処理を依頼する。
【００３５】
会員認証機能１１０ｂは、後述のように、情報記憶装置１００を利用する会員を認証する処理を行う。
ファイル種別判定機能１１０ｃは、後述のように情報ファイルの各種の属性を判別する処理を行う。
課金処理機能１１０ｄは、課金サーバ４０と連携して、後述のように、有償のサービスの提供に際して会員に課金する処理を行う。
【００３６】
ファイル操作機能１１０ｅは、後述のように、情報ファイルとして情報記憶装置１００に保管されるファイルに対する各種の操作を実現する処理を行う。
記憶エリア設定機能１１０ｆは、後述のように、情報記憶装置１００における情報ファイルの保管領域の割り当て制御を処理する。
【００３７】
画像処理機能１１０ｇは、後述のように、画像ファイルのサイズの削減等の処理を行う。
ＷＥＢページ生成機能１１０ｈは、情報記憶装置１００に保管されている情報ファイルを公開、叉は他の会員と共有するためのホームページを生成する処理を行う。
【００３８】
ファイルバックアップ機能１１０ｊは、後述のように、情報記憶装置１００に保管される情報ファイルの複製を、ローカルバックアップシステム２００やリモートバックアップシステム５００に保管する処理を行う。
機器判定機能１１０ｋは、後述のように、端末装置３００やアクセサリ４００の機種や属性を判別する処理を行う。
【００３９】
電子メール機能１１０ｍは、後述のように、利用者が所有するネットワーク端末５０や端末装置３００との間における電子メールの送受信を行う。
図４は、本実施の形態の情報記憶装置１００が用いる会員管理ＤＢの構成例を示す概念図である。
この会員管理ＤＢ１５０は、会員として登録された利用者を管理するために用いられる。
【００４０】
本実施の形態の会員管理ＤＢ１５０は、会員ＩＤ１５１、個人情報１５２、保管エリアＩＤ１５３、活用エリアＩＤ１５４、保管エリア期限１５５、登録機器数１５６、機器シリアル番号１５７が、会員ＩＤ１５１をキーとして管理される構成となっている。
【００４１】
保管エリアＩＤ１５３は、当該会員に割り当てられた第１記憶装置１０１の領域を識別する情報である。
活用エリアＩＤ１５４は、当該会員に割り当てられた第２記憶装置１０２の領域を識別する情報である。
保管エリア期限１５５は、保管エリアＩＤ１５３で特定される領域の保管期限を示す情報である。
【００４２】
登録機器数１５６は、当該会員がユーザ登録した端末装置３００やアクセサリ４００の個数を示す情報である。
機器シリアル番号１５７は、ユーザ登録された端末装置３００やアクセサリ４００を識別するための情報である。
【００４３】
個人情報１５２は、電子メールアドレス１５２ａ、氏名１５２ｂ、住所１５２ｃ、ＴＥＬ番号１５２ｄ、会員登録日１５２ｅ、課金口座１５２ｆ、ログインパスワード１５２ｇ、からなる。
図５および図６は、本実施の形態の情報記憶装置が用いる記憶領域管理ＤＢの構成例を示す概念図である。
【００４４】
図５、図６に例示されるように、本実施の形態の記憶領域管理ＤＢ１６０は、第２記憶装置１０２を管理するための活用エリア管理ＤＢ１６０Ａと、第１記憶装置１０１を管理するための保管エリア管理ＤＢ１６０Ｂからなる。
【００４５】
図５に例示されるように、活用エリア管理ＤＢ１６０Ａは、エリアＩＤ１６１、会員ＩＤ１６２、期限１６３、エリアサイズ１６４、ファイル数１６５、ファイルＩＤ１６６、記憶アドレス１６７、ファイル名１６８、ファイル種別１６９、バックアップアドレス１６９ａ等の情報が、格納されている。
【００４６】
エリアＩＤ１６１は、第２記憶装置１０２における割り当て領域を識別する情報である。
会員ＩＤ１６２は、エリアＩＤ１６１で特定される記憶領域を所有する会員を識別する情報である。
期限１６３は、エリアＩＤ１６１で特定される記憶領域の有効期限を示す情報である。
【００４７】
エリアサイズ１６４は、エリアＩＤ１６１で特定される記憶領域のサイズを示す情報である。
ファイル数１６５は、エリアＩＤ１６１で特定される記憶領域に格納されている情報ファイルの数を示す情報である。
ファイルＩＤ１６６は、エリアＩＤ１６１で特定される記憶領域に格納された個々の情報ファイルを識別する情報である。
【００４８】
記憶アドレス１６７は、エリアＩＤ１６１で特定される記憶領域におけるファイルＩＤ１６６の情報ファイルの格納位置を識別する情報である。
【００４９】
ファイル名１６８は、ファイルＩＤ１６６で特定される情報ファイルの名称である。
ファイル種別１６９は、ファイルＩＤ１６６で特定される情報ファイルの種別（ＴＩＦＦ、ＪＰＥＧ、ＷＡＶＥ等）を示す情報である。
【００５０】
バックアップアドレス１６９ａは、ファイルＩＤ１６６で特定される情報ファイルの複製が保管された場所を識別する情報である。この場合、第２記憶装置１０２の情報ファイルの複製は、ローカルバックアップシステム２００に保管されるので、ローカルバックアップシステム２００における格納位置を示している。
【００５１】
一方、図６に例示されるように、第１記憶装置１０１における情報ファイルを管理するための保管エリア管理ＤＢ１６０Ｂは、上述の活用エリア管理ＤＢ１６０Ａと基本的に同じであるが、本実施の形態の場合、第１記憶装置１１の情報ファイルの複製は、ローカルバックアップシステム２００の他に、さらにリモートバックアップシステム５００にも保管される。
【００５２】
このため、本実施の形態の保管エリア管理ＤＢ１６０Ｂでは、ローカルバックアップシステム２００における情報ファイルの複製の格納位置を示すバックアップアドレス１に加えて、２箇所のリモートバックアップシステム５００の各々における情報ファイルの複製の格納位置を示すバックアップアドレス２〜３（１６９ｂ）を備えた点と、ロックフラグ１６６ａが追加された点が、活用エリア管理ＤＢ１６０Ａと異なっている。ロックフラグ１６６ａは、ファイルＩＤ１６６で特定される情報ファイルの削除操作の可否を制御するフラグである。例えば、ロックフラグ１６６ａが“１”で削除禁止、“０”で禁止解除である。
バックアップアドレス２は、情報ファイルの複製のリモートバックアップシステム５００における格納位置を示し、バックアドレス３は、図示しない他のリモートバックアップシステムにおける格納位置を示している。
【００５３】
図７は、本実施の形態の情報記憶装置が用いる共有管理ＤＢの構成例を示す概念図である。
本実施の形態の場合、会員に割り当てられた第２記憶装置１０２の保管領域の一部を共有領域として、当該保管領域が割り当てられた会員（管理者）以外にも参照できるように設定するもので、共有領域に置かれた管理者の情報ファイルは管理者が許可した会員も参照することができる。共有管理ＤＢ１７０は、共有領域の管理に用いられる。
【００５４】
図７に例示されるように、本実施の形態の共有管理ＤＢ１７０は、共有管理ＩＤ１７１、管理者ＩＤ１７２、共有領域アドレス１７３、共有開始日１７４、共有終了日１７５、ゲストＩＤ１７６で構成されている。
共有管理ＩＤ１７１は、第２記憶装置１０２における個々の共有領域を識別する情報である。
【００５５】
管理者ＩＤ１７２は、共有管理ＩＤ１７１で特定される共有領域の管理者である会員を識別する情報である。
共有領域アドレス１７３は、第２記憶装置１０２における当該共有領域の位置を示す情報である。
共有開始日１７４、共有終了日１７５は、当該共有領域の共有開始および共有終了の日時を示す情報である。
ゲストＩＤ１７６は、共有領域アドレス１７３で特定される共有領域にアクセスすることを許可されたゲストを特定する識別情報で、ゲストが会員の場合は会員管理ＤＢ１５０に登録された会員ＩＤ１５１であり、ゲストが非会員の場合は、後述の図２２Ａのステップ７５７で利用者（管理者）が入力して、ステップ７５８でサービスサーバに送信したe-mailアドレスである。
【００５６】
図８は、本実施の形態の情報記憶装置が用いる機器情報ＤＢの構成例を示す概念図である。
この機器情報ＤＢ１４０は、会員が所有する端末装置３００やアクセサリ４００等の機器の種別に応じて、当該会員に割り当てられる第２記憶装置１０２の記憶領域の割当量を規定および管理するために用いられる。
【００５７】
図８に例示されるように、この機器情報ＤＢ１４０は、機種ＩＤ１４１、機器ＩＤ１４２、付与サイズ１４３、付与開始日１４４、付与終了日１４５の情報で構成されている。
機種ＩＤ１４１は、カメラ等の端末装置３００およびアクセサリ４００の機種を識別する情報である。
【００５８】
機器ＩＤ１４２は、機種ＩＤ１４１で特定される機種の機器に割り当てられた識別番号の範囲を示す情報である。
付与サイズ１４３し、機種ＩＤ１４１及び機器ＩＤ１４２で特定される機器毎に、無償で割り当てられる第２記憶装置１０２の記憶領域のサイズを示す情報である。
【００５９】
付与開始日１４４および付与終了日１４５は、記憶領域の付与を開始および終了する日付を示す情報である。
次に、本実施の形態の情報記憶装置１００に格納される情報ファイルの複製を保管するローカルバックアップシステム２００およびリモートバックアップシステム５００の構成例について説明する。
【００６０】
ローカルバックアップシステム２００は、情報記憶装置１００と同一構内に設けられ、共通のＬＡＮ１０に接続されている。
【００６１】
本実施の形態の場合、このローカルバックアップシステム２００には、情報記憶装置１００の第１記憶装置１０１に有償で保管される情報ファイルの複製、および第２記憶装置１０２に無償で保管される情報ファイルの複製が格納される。
【００６２】
一方、リモートバックアップシステム５００は、情報記憶装置１００とは地理的に離れた地域に設置され、インターネット３０、ゲートウェイ２０、ＬＡＮ１０を介して情報記憶装置１００に接続されている。
図９は、本発明の一実施の形態である情報記憶装置に接続されるバックアップシステムの構成例を示す概念図である。
【００６３】
図９に例示されるように、本実施の形態のローカルバックアップシステム２００は、バックアップサーバ２０１と記憶装置２０２を備えている。
バックアップサーバ２０１は、処理部２１０、外部記憶Ｉ／Ｆ２２０、ネットワークＩ／Ｆ２３０、ファイルバックアップ管理ＤＢ２４０を備えている。
【００６４】
処理部２１０は、バックアップサーバ２０１の全体を制御するコンピュータ等で構成されている。
外部記憶Ｉ／Ｆ２２０は、配下の記憶装置２０２との間における情報の入出力を制御する。
ネットワークＩ／Ｆ２３０は、ＬＡＮ１０やインターネット３０との情報ネットワークとの間における情報の入出力を制御する。
【００６５】
なお、リモートバックアップシステム５００は、ファイルバックアップ管理ＤＢ２４０に加えてデータベースバックアップ管理ＤＢ２５０を備えた点が異なるのみで、他は、ローカルバックアップシステム２００と同様である。
図１０は、本実施の形態の情報記憶装置が用いるファイルバックアップ管理ＤＢの構成例を示す概念図である。
【００６６】
ローカルバックアップシステム２００及びリモートバックアップシステム５００に備えられたファイルバックアップ管理ＤＢ２４０は、ファイルＩＤ２４１、ファイル名２４２、会員ＩＤ２４３、オリジナル記憶アドレス２４４、バックアップ日時２５５、バックアップ日時２４６、等の情報が格納されている。
【００６７】
ファイルＩＤ２４１は、保管する情報ファイルを識別する情報であり、上述のファイルＩＤ１６６に対応している。
ファイル名２４２は、その名称であり、複製元の情報ファイルのファイル名１６８に対応している。
会員ＩＤ２４３は、当該情報ファイルの複製の所有者を示す情報であり、上述の会員ＩＤ１６２に対応している。
【００６８】
オリジナル記憶アドレス２４４は、複製元の情報ファイルの、第１記憶装置１０１における格納位置を示す情報である。
バックアップ記憶アドレス２４５は、当該ローカルバックアップシステム２００叉はリモートバックアップシステム５００における複製の情報ファイルの格納位置を示す情報である。
【００６９】
バックアップ日時２４６は、第１記憶装置１０１叉は第２記憶装置１０２から当該情報ファイルを複写して記憶した日時を示している。
図１１は、本実施の形態の情報記憶装置が用いるデータベースバックアップ管理ＤＢの構成例を示す概念図である。
【００７０】
このリモートバックアップシステム５００に備えられるデータベースバックアップ管理ＤＢ２５０は、データベースＩＤ２５１、ファイル名２５２、オリジナルアドレス２５３、バックアップアドレス２５４、バックアップ日時２５５、の情報が格納されている。
【００７１】
データベースＩＤ２５１は、情報ファイル等のオリジナル情報が保管された情報記憶装置１００に設置されたデータベースのアーカイブの複製を識別する情報である。
【００７２】
ファイル名２５２は、データベースの複製の名称、オリジナルアドレス２５３は、複製元のデータベースが置かれていた位置を示す情報、バックアップアドレス２５４は、データベースの複製の格納位置を示す情報、バックアップ日時２５５はデータベースを複製して記憶した日時である。
【００７３】
データベースＩＤ２５１によって、情報記憶装置１００のオリジナルのデータベースが識別され、オリジナルアドレス２５３によって、情報記憶装置１００におけるデータベースの格納位置が特定される。
【００７４】
次に、本実施の形態の情報記憶装置１００を利用する利用者のネットワーク端末５０、端末装置３００、アクセサリ４００の構成例について説明する。
図１２は、本発明の一実施の形態である情報記憶装置に接続されるネットワーク端末５０の構成例を示す概念図である。
【００７５】
本実施の形態のネットワーク端末５０は、例えば、パーソナルコンピュータで構成されている。
【００７６】
すなわち、一例として、ネットワーク端末５０は、処理部５１、ワークメモリ５２、ハードディスク５３、通信Ｉ／Ｆ５４、表示部５５、操作部５６、ネットワークＩ／Ｆ５７が、情報伝送路５８を介して接続され、相互に情報の遣り取りをする構成になっている。
【００７７】
処理部５１は、例えばマイクロプロセッサである。ワークメモリ５２は、処理部５１が実行するプログラムやデータが格納される主記憶である。
ハードディスク５３は、プログラムメモリ５３ａ、画像メモリ５３ｂ、情報メモリ５３ｃ等の不揮発性の記憶領域を提供する。
【００７８】
通信Ｉ／Ｆ５４は、後述の端末装置３００との情報通信を行う接続機能を提供する。具体的には、ＵＳＢ等の汎用の有線接続インタフェースや、近距離無線通信インタフェース、赤外線通信インタフェース等からなる。
表示部５５は、情報ファイルを可視化して表示するディスプレイからなる。
【００７９】
操作部５６は、キーボードやポインティングデバイス等のユーザ入力機能を提供する。
ネットワークＩ／Ｆ５７は、ＬＡＮ１０やインターネット３０との接続機能を提供する。
【００８０】
すなわち、本実施の形態のネットワーク端末５０は、通信Ｉ／Ｆ５４を介して接続されるカメラ等の端末装置３００から、画像ファイル等の情報ファイルを取り出して、画像メモリ５３ｂや情報メモリ５３ｃに保管し、端末装置３００に代わって、情報記憶装置１００に送信して保管させる処理を行うことが可能になっている。
【００８１】
図１３は、本発明の一実施の形態であるインターネット３０叉は情報記憶装置１００に接続される端末装置３００の構成例を示す概念図である。
本実施の形態の端末装置３００は、一例として、デジタルカメラやビデオカメラ等のカメラからなり、静止画や、音声付き動画等の画像ファイル等を情報ファイルとして生成する。
【００８２】
すなわち、図１３に例示されるように、本実施の形態の端末装置３００は、画像処理部３１０、撮像部３２０、表示部３３０、画像メモリ３４０、コントローラ３５０、プログラムメモリ３５１、操作部３５２、機器ＩＤメモリ３６０、アクセサリＩ／Ｆ３７０、ネットワークＩ／Ｆ３８０、通信Ｉ／Ｆ３９０を備えたカメラからなる。
【００８３】
撮像部３２０は、静止画や動画を撮影する撮像素子や光学系からなる。画像処理部３１０は、撮像部３２０を制御し、撮像部３２０で撮影された静止画や動画を処理して、所望のフォーマットの画像ファイルとして画像メモリ３４０に格納する。
【００８４】
表示部３３０は、撮像部３２０で撮影される被写体の画像を実時間で表示したり画像メモリに記憶された画像ファイルに含まれる画像データのインデックス画像を表示し、更に各種の選択メニューや操作情報の表示を行うディスプレイである。
コントローラ３５０は、端末装置３００の全体を制御するマイクロプロセッサ等からなり、プログラムメモリ３５１に格納されたプログラムを実行することで、後述のような各種制御を実現する。
【００８５】
機器ＩＤメモリ３６０は、当該端末装置３００に固有の製造番号等の情報や機種コードなどが格納される。具体的には、上述の機器ＩＤ１４２や機種ＩＤ１４１が格納されている。
アクセサリＩ／Ｆ３７０は、アクセサリ４００との接続機能および通信機能を提供する。
【００８６】
ネットワークＩ／Ｆ３８０は、有線あるいは無線でのインターネット３０との接続機能を提供する。通信Ｉ／Ｆ３９０は、ネットワーク端末５０の通信Ｉ／Ｆ５４と有線または無線の接続機能を提供する。
【００８７】
すなわち、本実施の形態の端末装置３００は、ネットワーク端末５０を介して間接的にインターネット３０に接続して使用すること、および、ネットワーク端末５０を介さずに、直接的にインターネット３０に接続して使用すること、の双方が可能な構成となっている。なお、画像メモリ３４０は、画像ファイルの他に、ネットワークＩ／Ｆ３８０や通信Ｉ／Ｆ３９０を介して受信した情報ファイルを記憶する。また、端末装置３００は、インターネットを介して情報サービスサーバ１０３にアクセスして、情報サービスサーバ１０３が提供するサービスを利用するために、ＷＥＢブラウザの機能を有しており、通信Ｉ／Ｆ３９０を介して受信したＷＥＢページは、表示部３３０に表示される。
【００８８】
図１４は、本発明の一実施の形態である端末装置に接続されるアクセサリの構成例を示す概念図である。
本実施の形態のアクセサリ４００は、例えば、端末装置３００としてのカメラに接続される、交換レンズ、ストロボ等の付属機器である。
【００８９】
そして、本実施の形態の場合には、一例として、アクセサリ４００が接続された端末装置３００から、情報サービスサーバ１０３が提供する何らかのサービスを利用する時には、端末装置３００自身を識別する情報と共にアクセサリ４００を識別する情報が情報サービスサーバ１０３に送信される。
もし、情報サービスサーバが提供するサービスが会員登録の場合は、会員登録と同時に情報サービスサーバ１０３が受信したそれら端末装置３００を識別する情報またはアクセサリ４００を識別する情報に応じて情報記憶装置１００の第２記憶装置１０２に情報ファイルの保管領域を無償で提供される。一方、情報サービスサーバが提供するサービスが会員に対するサービスであって、情報サービスサーバ１０３が受信した端末装置３００を識別する情報またはアクセサリ４００を識別する情報により、端末装置３００またはアクセサリ４００がユーザ登録されていないと判断された場合には、ユーザ登録を実行すると共に、登録した機器を識別する情報に応じて、情報記憶装置１００の第２記憶装置１０２に情報ファイルの無償の保管領域を拡大する。
【００９０】
図１４を参照して、アクセサリ４００の一例として、アクセサリ４００がカメラに装着される外部ストロボである場合の構成例を説明する。
アクセサリ４００は、コントローラ４１０、発光部４２０、表示部４３０、操作部４４０、アクセサリＩＤメモリ４５０、プログラムメモリ４６０、アクセサリＩ／Ｆ４７０を備えている。
【００９１】
コントローラ４１０は、例えばマイクロコンピュータ等で構成され、アクセサリ４００の全体の制御を行う。発光部４２０は、コントローラ４１０から指令されたタイミングおよび時間で発光するランプと当該ランプに電流を供給するコンデンサ等で構成される。
表示部４３０は、アクセサリ４００の動作状態を利用者に可視化して提示するディスプレイである。
【００９２】
操作部４４０は、利用者がコントローラ４１０に制御情報を入力するためのスイッチや、ダイヤル、ボタン、ディップスイッチ等の情報入力機構からなる。
アクセサリＩＤメモリ４５０は、当該アクセサリ４００を識別する機種番号や製造番号等の情報が格納される。具体的には、上述の機種ＩＤ１４１や機器ＩＤ１４２等の情報が格納される。
【００９３】
プログラムメモリ４６０は、コントローラ４１０に実行させる制御プログラム等の情報を記憶している。
アクセサリＩ／Ｆ４７０は、端末装置３００のアクセサリＩ／Ｆ３７０との接続および情報通信機能を提供する。
【００９４】
以下、本実施の形態の情報記憶装置および情報サービスシステムの作用の一例についてフローチャートを参照して詳細に説明する。なお、以下に例示する各フローチャートにおいて、丸で囲まれたＡ，Ｂ，Ｃの記号は、二つの図に分離されたフローチャートの接続関係を示している。
図１５Ａおよび図１５Ｂは、本実施の形態の情報サービスシステムにおける会員登録の一例を示すフローチャートである。
【００９５】
この図１５Ａおよび図１５Ｂの例では、端末装置３００が直接インターネット３０を介して情報記憶装置１００に会員登録する例を示している。この場合、会員登録と同時に、情報記憶装置１００の第２記憶装置１０２に登録した会員が使用できる所定のサイズの活用領域が設定される。
【００９６】
登録された会員に付与される活用領域のサイズは、情報サービスサーバ１０３で認識された端末装置３００またはアクセサリ４００の機種ＩＤや機器ＩＤに応じて異なる。
会員登録が開始されると、まず、端末装置３００は、表示部５５に表示されたメニューから会員登録の選択を受け付ける（ステップ７０１）。
【００９７】
そして、端末装置３００は、機器ＩＤメモリ３６０から機種ＩＤ１４１と機器ＩＤ１４２を読出し（ステップ７０２）。さらに、アクセサリ４００が接続されているか否かを判別する（ステップ７０３）。
アクセサリ４００が接続されている場合にはアクセサリ４００の機種ＩＤ１４１と機器ＩＤ１４２を取得する（ステップ７０４）。
【００９８】
次に、端末装置３００は、端末装置３００自身とアクセサリ４００の機種ＩＤ１４１及び機器ＩＤ１４２を含む会員登録要求を情報記憶装置１００の情報サービスサーバ１０３に送信する（ステップ７０５）。
情報サービスサーバ１０３は、端末装置３００から会員登録要求を受信し、機種ＩＤ１４１及び機器ＩＤ１４２を抽出する（ステップ９０１）。
【００９９】
さらに、抽出した機種ＩＤ１４１と機器ＩＤ１４２の組の何れかが既に会員管理ＤＢ１５０に登録されているか判別し（ステップ９０２）、未登録の場合には会員登録ＷＥＢページを生成し（ステップ９０３）、生成した会員登録ＷＥＢページを端末装置３００に送信する（ステップ９０４）。一方、またステップ９０２でＹＥＳの場合は会員登録済みであることを確認する情報（会員登録確認）を端末装置３００に送信する（ステップ９０４）。
【０１００】
端末装置３００は、会員登録ＷＥＢページまたは会員登録確認受信すると（ステップ７０６）、受信したのは会員登録確認か否かを判別し（ステップ７０７）、会員登録確認でない場合には、受信した会員登録ＷＥＢページを表示し（ステップ７０８）、利用者からの個人情報１５２の入力を受け付けて情報サービスサーバ１０３に送信する（ステップ７０９）。一方、ステップ７０７でＹＥＳと判別された場合、既に会員登録されていることを表示して、会員登録の処理を終了する。
【０１０１】
情報サービスサーバ１０３は、受信した個人情報を会員管理ＤＢ１５０に登録する（ステップ９０５）。
【０１０２】
さらに、情報サービスサーバ１０３は、機器情報ＤＢ１４０を参照して、機種ＩＤ１４１と機器ＩＤ１４２の組で特定される端末装置３００またはアクセサリ４００が、領域付与対象の機器かを判別し（ステップ９０６）、領域付与対象の場合には、機種ＩＤ１４１と機器ＩＤ１４２の組で特定されるサイズの活用領域を第２記憶装置１０２に確保し、確保した活用領域を管理するための情報を活用エリア管理ＤＢ１６０Ａおよび会員管理ＤＢ１５０に登録する（ステップ９０７）。
【０１０３】
上述のステップ９０６〜ステップ９０７の処理を、ステップ９０１で抽出した全ての機種ＩＤ１４１と機器ＩＤ１４２の組について繰り返す登録または領域拡大を完了するまで反復する（ステップ９０８）。なお、活用領域が既に確保されている場合には、ステップ９０７では、機種ＩＤ１４１と機器ＩＤ１４２の組で特定されるサイズだけ活用領域を拡大し、会員管理ＤＢ１５０と活用エリア管理ＤＢ１６０Ａに登録された情報を更新する。その後、会員ＩＤ１５１を生成して会員管理ＤＢ１５０に登録し（ステップ９０９）、会員ＩＤを端末装置３００に送信する（ステップ９１０）。
【０１０４】
端末装置３００は、情報サービスサーバ１０３から会員ＩＤ１５１を受信して端末装置３００の機器ＩＤメモリ３６０に記憶し（ステップ７１０）、会員登録が完了する。
会員登録後に端末装置３００が情報サービスサーバ１０３にインターネット３０を介して接続する場合は、会員ＩＤを機種ＩＤ及び機器ＩＤと共に機器ＩＤメモリ３６０から読み出して、接続要求に含めて情報サービスサーバ１０３に送信する。
なお、図１５Ａおよび図１５Ｂの会員登録のフローでは、端末装置３００およびアクセサリ４００を機種ＩＤ１４１と機器ＩＤ１４２の組で特定していたが、機器ＩＤ１４２のみで特定できる場合は、機種ＩＤ１４１を使用せずに特定してもよい。その場合、機器ＩＤメモリには機器ＩＤと会員ＩＤのみを記憶するようにしてもよい。
また、端末装置３００を直接にインターネット３０に接続して会員登録するのではなく、インターネット３０に接続されたパーソナルコンピュータなどのネットワーク端末５０にインストールされた専用のソフトウェアを使用して会員登録してもよい。その場合、会員登録用のソフトウェアが起動すると、当該ネットワーク端末５０に端末装置３００が接続されているかを判定し、接続されていれば機種ＩＤと機器ＩＤを端末装置３００の機器ＩＤメモリから読み出す。端末装置３００にアクセサリ４００が接続されている場合には、アクセサリＩＤメモリ４５０からそのアクセサリ４００の機種ＩＤと機器ＩＤを読み出す。そして、図１５Ａのステップ７０５と同じくそれらの機種ＩＤと機器ＩＤを含む会員登録要求を情報サービスサーバ１０３に送信する。以降、ステップ９０１〜ステップ９１０の処理が情報サービスサーバ１０３で実行され、ステップ７０６〜７１０の処理が、端末装置３００でななくネットワーク端末５０で実行される。なお、ステップ７１０では、ネットワーク端末５０で受信した会員ＩＤは、端末装置３００およびアクセサリ４００に加えてネットワーク端末５０にも記憶しても良い。会員登録後、端末装置３００が接続されていないネットワーク端末５０が、インターネット３０を介して情報サービスサーバ１０３に接続する時には、ネットワーク端末５０自身に記憶されている会員ＩＤを接続要求に含めて送信する。この場合、機種ＩＤや機器ＩＤに対応する情報は送信されないが、情報サービスサーバが提供するサービスを利用するには会員ＩＤで認証される。なお、会員登録および端末装置３００やアクセサリ４００のユーザ登録はネットワーク端末５０に端末装置３００が接続された状態で行なわれる。  図１６Ａおよび図１６Ｂは、本実施の形態の情報サービスシステムにおける端末装置の接続処理の一例を示すフローチャートである。
【０１０５】
この図１６Ａおよび図１６Ｂのフローチャートの例では、登録済みの会員が端末装置３００で情報サービスサーバ１０３に接続する時に端末装置３００や、アクセサリ４００を検証し、それら何れかの機器が未登録の場合は、それらの機器のユーザ登録（機器登録）をすると同時に、ユーザ登録された機器に応じて会員の活用領域のサイズを増大する処理を説明する。
【０１０６】
端末装置３００がインターネット３０を介して情報サービスサーバ１０３に接続を開始すると、まず、会員ＩＤ１５１を機器ＩＤメモリから読出し（ステップ７１１）、会員ＩＤ１５１を含む接続要求を情報サービスサーバ１０３に送信する（ステップ７１２）。
【０１０７】
情報サービスサーバ１０３は、接続要求を受信すると（ステップ９１２）、会員ＩＤ１５１を認証したか否か判別し（ステップ９１３）、認証した場合には接続を許可することを確認する接続確認を端末装置３００に送信し、認証しなかった場合は非接続確認を端末装置３００に送信する（ステップ９１４）。
【０１０８】
端末装置３００は、接続確認または非接続確認を受信すると（ステップ７１３）、会員ＩＤ１５１の認証に成功して接続されたか否かを判別する（ステップ７１４）。
【０１０９】
そして、接続成功の場合には、端末装置３００の機器ＩＤ１４２を読出し（ステップ７１５）、さらに、アクセサリ４００が接続されている場合には（ステップ７１６）、アクセサリ４００の機器ＩＤ１４２を取得し（ステップ７１７）、それらの機器ＩＤ１４２を情報サービスサーバ１０３に送信する（ステップ７１８）。なお、図１６の例では、機器ＩＤのみで、端末装置３００やアクセサリ４００を一意に特定できるものとしている。
【０１１０】
情報サービスサーバ１０３は、端末装置３００から機器ＩＤ１４２を受信する（ステップ９１５）。
【０１１１】
そして、受信した機器ＩＤ１４２毎に、既に会員管理ＤＢ１５０に登録されているか否かを判別し（ステップ９１６）、未登録の場合には、さらに、機器ＩＤ１４２で特定される端末装置３００またはアクセサリ４００は、領域付与対象か否かを機器情報ＤＢ１４０を参照して判別し（ステップ９１７）、Ｙｅｓの場合は、機器ＩＤ１４２に設定されている付与サイズ１４３だけ、会員ＩＤで特定される会員の活用領域を拡大するよう活用エリア管理ＤＢ１６０Ａのエリアサイズ１６４を更新し（ステップ９１８）、会員管理ＤＢ１５０に機器ＩＤ１４２を登録する（ステップ９１９）。ステップ９１７がＮｏの場合は、ステップ９１９を実行する。
【０１１２】
一方、ステップ９１６がＹｅｓの場合、機器ＩＤは既に登録されているので、ステップ９２０にスキップする。
このステップ９１７〜ステップ９１９の処理により、受信した全ての機器ＩＤ１４２を登録し、必要な活用領域の拡大を完了したか判別し（ステップ９２０）、完了した場合には、情報サービスサーバ１０３が提供するサービス一覧を含むサービス受付開始確認を端末装置３００に送信する（ステップ９２１）。
【０１１３】
これを受けた端末装置３００は、サービス選択画面を表示し（ステップ７１９）、機器登録を完了する。
以上のように、図１６Ａ及び図１６Ｂの処理は、端末装置３００が直接インターネット３０を介して情報サービスサーバ１０３に接続してサービスを利用する場合に、接続してサービス一覧が表示されるまでに毎回実行される。この処理により、会員が新しい端末装置３００やアクセサリ４００を購入して使用を開始した初期の段階で、その購入した機器のユーザ登録をすることができると共に、購入した機器に応じて会員の活用領域を拡大することができる。
図１７Ａおよび図１７Ｂは、本実施の形態の情報サービスシステムにおける情報記憶装置への情報ファイルの寄託処理の一例を示すフローチャートである。
【０１１４】
この図１７Ａおよび図１７Ｂの処理例では、端末装置３００であるカメラで撮影した画像を含む画像ファイル（情報ファイル）をカメラから直接的に情報サービスサーバ１０３にアップロードする例を示す。
【０１１５】
この場合、端末装置３００は情報サービスサーバ１０３から活用領域に情報ファイルをアップロードするための条件を取得し、その条件を満たすように端末装置３００の側で情報ファイルを変換して、条件を満たす情報ファイルの形式で情報記憶装置１００に保管する。
本実施例での情報ファイルの形式とは、情報ファイルの属性（ファイルのサイズ、ファイルフォーマットなど）および情報ファイルに含まれる情報の属性（情報の種類、情報の圧縮方法など）を示す。
【０１１６】
なお、図１６Ａ及び図１６Ｂで説明した会員ＩＤの認証と機器登録処理は完了して、端末装置３００と情報サービスサーバ１０３とが接続されている状態にあるとして説明する。
端末装置３００は、サービス選択画面を表示部３３０に表示して画像アップロードの選択を受け付けると（ステップ７２０）、に画像メモリに記憶された画像ファイルとしてに含まれる撮影画像のインデックス画像の一覧を表示部３３０に表示する（ステップ７２１）。
【０１１７】
そして、インデックス画像の選択（ステップ７２２）、およびアップロード先の領域の選択（ステップ７２３）を受け付ける。
そして、アップロード先の領域は第１記憶装置１０１の保管領域か第２記憶装置１０２の活用領域かを判別する（ステップ７２４）。
そして、活用領域が選択された場合には、情報ファイル受付条件要求を情報サービスサーバ１０３に送信する（ステップ７２５）。
【０１１８】
情報サービスサーバ１０３は、端末装置３００から情報ファイル受付条件要求を受信すると（ステップ９２２）、情報ファイル受付条件を応答送信する（ステップ９２３）。
端末装置３００は、情報サービスサーバ１０３から情報ファイル受付条件を受信した後（ステップ７２６）、インデックス画像に対応する画像ファイルを読み出す（ステップ７２７）。
【０１１９】
そして、画像ファイルは情報ファイル受付条件を満たすか判別し（ステップ７２８）、満たさない場合には、読み出した画像ファイルを、情報ファイル受付条件を満たすように変換する（ステップ７２９）。
また、上述のステップ７２４でアップロード先が保管領域の場合、又はステップ７２８で画像ファイルが受け付け条件を満たす場合には、ファイルの変換は行わない。
【０１２０】
その後、領域指定情報と画像ファイルを情報サービスサーバ１０３に送信する（ステップ７２９ａ）。
情報サービスサーバ１０３は、端末装置３００から領域指定情報と画像ファイルを受信すると（ステップ９２４）、管理用のファイルＩＤを生成し（ステップ９２５）、画像ファイルを指定された領域に記憶する（ステップ９３０）。
【０１２１】
その後、ファイルＩＤを端末装置３００に送信する（ステップ９４１）。
端末装置３００は、ファイルＩＤを受信すると（ステップ７３０）、画像ファイルに関連付けてファイルＩＤを画像メモリ３４０に記憶する（ステップ７３１）。
【０１２２】
そして、上述のステップ７２４からステップ７３１までの処理により、選択した全ての画像ファイルをアップロードしたら（ステップ７３２）、画像アップロードを完了する。ステップ７３２でＮｏの場合は、ステップ７２４からステップ７３１の処理を、選択されたがアップロードされていない画像ファイルについて繰り返す。
図１８は、上述の図１７Ａおよび図１７Ｂにおけるステップ９３０の処理をさらに詳細に例示したフローチャートである。図１７Ａおよび図１７Ｂと対応するステップには同一符号を付している。
【０１２３】
なお、この図１８の処理は、上述の図１の情報サービスシステムＳ１に対応するバックアップ動作例である。
すなわち、リモートバックアップシステム５００は、情報記憶装置１００およびローカルバックアップシステム２００とは地理的に離れた場所に設置されている場合の動作である。
【０１２４】
情報サービスサーバ１０３は、領域指定情報と画像ファイルを受信し（ステップ９２４）、管理用のファイルＩＤを生成すると（ステップ９２５）、まず、指定された領域は保管領域か否かを判別する（ステップ９３１）。
【０１２５】
そして、保管領域の場合には、画像ファイルとファイルＩＤを第１記憶装置１０１の会員ＩＤ１５１で特定される領域に格納する（ステップ９３２）。
さらに、画像ファイルの複製とファイルＩＤの複製を情報サービスサーバ１０３と同一サイト内に設置されたローカルバックアップシステム２００にも記憶する（ステップ９３３）。
【０１２６】
さらに、画像ファイルの複製とファイルＩＤの複製を情報サービスサーバ１０３と異なる遠隔地のサイトに設置されたリモートバックアップシステム５００に記憶する（ステップ９３４）。
【０１２７】
一方、ステップ９３１で保管領域でない（活用領域）と判定された場合には、画像ファイルとファイルＩＤを第２記憶装置１０２の会員ＩＤ１５１で特定される領域に記憶し（ステップ９３５）、さらに、画像ファイルの複製とファイルＩＤの複製を情報サービスサーバ１０３と同一サイト内に設置されたローカルバックアップシステム２００に記憶する（ステップ９３６）。
【０１２８】
その後、端末装置３００にファイルＩＤを送信する（ステップ９４１）。
なお、ローカルバックアップシステムには、情報ファイルの複製だけでなく、本実施例の情報サービスシステムの各種データベースの情報の複製を記憶する。更に、会員管理ＤＢ１５０と第１の記憶装置に記憶された情報ファイルを管理するための保管エリア管理ＤＢ１６０Ｂの情報の複製も所定時間毎にリモートバックアップシステム５００に記憶する。
以上のように、情報ファイルの指定先が保管領域の場合は、距離的に近くに設置されたローカルバックアップサーバに情報ファイルの複製が保存されると共に、距離的に遠く（例えば他の大陸）に設置されたリモートバックアップサーバにも情報ファイルの複製が保存されることにより、大規災害が発生しても、リモートバックアップサーバには影響が及ばす、会員が寄託した情報ファイルを安全に保管することができる。
図１９Ａおよび図１９Ｂは、本実施の形態の情報サービスシステムにおいて、カメラで撮影した画像をカメラから直接に情報サービスサーバにアップロードする第２の例を示すフローチャートである。
【０１２９】
すなわち、本実施の形態の情報サービスシステムにおいて、端末装置３００から情報記憶装置１００への情報ファイルの保管と連動して、端末装置３００側の当該情報ファイルの削除を行う例を示す。
【０１３０】
この場合、情報サービスサーバ１０３で保存先を設定し、カメラで撮影した画像の画像ファイルは撮影したときに画像メモリ３４０に記憶されると共に、情報サービスサーバ１０３に送信され、保存先の設定で指定された保存先に記憶される。
【０１３１】
保存先が第２記憶装置１０２の活用領域の場合は、記憶可能ファイルの条件を満たすように変換されて記憶され、保存先が第１記憶装置１０１の保管領域の場合は、そのまま記憶されるが、カメラ（端末装置３００）側では、画像ファイルが第１記憶装置１０１の保管領域に記憶されたことが確認されると、画像メモリ３４０内の撮影画像は削除され、削除された撮影画像に対応した対応するインデックス画像と保管領域に記憶された画像ファイルを識別するファイルＩＤが記憶される。
【０１３２】
図１６Ａ及び図１６Ｂの一連の処理が終了した後、端末装置３００は、モニタにサービス選択画面を表示して、このサービス選択画面でサーバ設定の選択を受け付ける（ステップ７３３）。
利用者がサーバ設定を選択すると、サーバ設定要求を情報サービスサーバ１０３に送信する（ステップ７３４）。
【０１３３】
情報サービスサーバ１０３は、端末装置３００からサーバ設定要求を受信すると（ステップ９４２）、サーバ設定のためのＷＥＢページを応答送信する（ステップ９４３）。
端末装置３００は、情報サービスサーバ１０３から受信したサーバ設定ＷＥＢページをモニタに表示して選択させる（ステップ７３５）。
【０１３４】
さらに、使用者によって指定されたファイル保存先領域の情報を情報サービスサーバ１０３に送信する（ステップ７３６）。
情報サービスサーバ１０３は、受信した指定先の領域を保存先領域としてカメラを識別する機器ＩＤと関連付けて会員管理ＤＢ１５０に登録する（ステップ９４４）。図４の機器シリアル番号の最後の桁のＡの文字は、保存先が保管領域であることを表わし、Ｂの文字は保存先が活用領域であること表わす。また、端末装置３００の機器シリアル番号の最後の桁が数字で終わる場合は、その機器シリアル番号で特定される端末装置３００には保存先が関連付けられていないことを表わしており、この場合、情報ファイルを送信した端末装置３００で保存先の領域を指定しなかった場合には、情報サービスサーバ１０３から端末装置３００に保存先の領域を選択するＷｅｂページがカメラに送信される。
【０１３５】
ステップ７３６の後、端末装置３００は、撮影を実行し（ステップ７３７）、撮影画像を含む画像ファイルを生成し（ステップ７３８）、画像ファイルを画像メモリ３４０に記憶すると共に画像ファイルと機器ＩＤを情報サービスサーバ１０３に送信する（ステップ７３９）。
【０１３６】
情報サービスサーバ１０３は、画像ファイルと機器ＩＤを受信すると（ステップ９４５）、会員管理ＤＢ１５０を参照して保存先は活用領域か否かを判別する（ステップ９４６）。
【０１３７】
そして、ステップ９４６で活用領域と判定された場合には、さらに画像ファイルはファイル保存条件を満たすか判別し（ステップ９４７）、満たさない場合には、画像ファイルをファイル保存条件を満たすように変換する（ステップ９４８）。
【０１３８】
その後、管理用のファイルＩＤを生成し（ステップ９４９）、変換された画像ファイルを指定された領域に記憶し（ステップ９５０）、さらに、ファイルＩＤと保存先の領域情報を端末装置３００に送信する（ステップ９５１）。一方、ステップ９４６でＮｏの場合、及びステップ９４７でＹｅｓの場合は、ステップ９４９にスキップし、管理用のファイルＩＤを生成し、ステップ９５０で受信した画像ファイルを指定された領域に記憶する。
【０１３９】
端末装置３００では、ファイルＩＤと保存先領域情報を受信すると（ステップ７４０）、保存先は保管領域か否かを判別する（ステップ７４１）。
【０１４０】
そして、保管領域と判定された場合には、画像メモリ３４０に記憶されている画像ファイルの撮影画像からインデックス画像を生成し（ステップ７４２）、インデックス画像の画像ファイルとファイルＩＤを関連付けて画像メモリ３４０に記憶した後（ステップ７４３）、撮影画像を含む画像ファイルを画像メモリ３４０から削除する（ステップ７４４）。
【０１４１】
また、ステップ７４１で保管領域でない（活用領域）と判定された場合には、画像ファイルとファイルＩＤを関連付けて画像メモリに記憶する（ステップ７４５）。
その後、撮影を続けるか判別し（ステップ７４６）、続行の場合には、上述のステップ７３７以降を反復し、撮影終了の場合には、画像アップロードを完了する。
以上の説明では、端末装置３００を機器ＩＤにより識別したが、機種ＩＤと機器ＩＤの組で識別しても良い。この場合、会員管理ＤＢ１５０には、機種名も登録される。
【０１４２】
次に、図２０を参照して、上述の図１９Ａおよび図１９Ｂに例示された端末装置３００から情報サービスサーバ１０３への情報ファイルのアップロード処理において、保管領域（第２記憶装置１０２）にアップロードされた情報ファイルの削除操作に対して禁止ロックをかける処理を追加した例を示す。
【０１４３】
図２０は、本実施の形態における情報サービスシステムにおいて、図１９Ａおよび図１９Ｂのフローチャートに例示された処理で保管領域へアップロードされた情報ファイルを削除操作から保護する処理例を示すフローチャートである。
この図２０では、上述の図１９Ａおよび図１９Ｂと共通する処理については共通の符号を付し、重複した説明は割愛する。
【０１４４】
端末装置３００は、情報サービスサーバ１０３から保管領域（第１記憶装置１０１）へ保存された画像データのファイルＩＤ１６６と保存先の領域情報（記憶アドレス１６７）を受信し、対応する撮影画像を含む画像ファイルを画像メモリ３４０から削除した後（ステップ７４０〜ステップ７４４）、削除した画像ファイルのファイルＩＤ１６６と記憶アドレス１６７を情報サービスサーバ１０３に送信する（ステップ７４４ａ）。
【０１４５】
情報サービスサーバ１０３は、ファイルＩＤ１６６と記憶アドレス１６７を受信すると（ステップ９５１ａ）、保管エリア管理ＤＢ１６０ＢのファイルＩＤ１６６に対応する画像ファイルのロックフラグ１６６ａを“１”に設定して削除禁止にロックし（ステップ９５１ｂ）、ロック確認を端末装置３００へ送信する（ステップ９５１ｃ）。
【０１４６】
なお、情報サービスサーバ１０３におけるステップ９５１ｂの削除禁止とは、例えば、後述の図２３Ａおよび図２３Ｂに例示される本実施の形態の通常の手順では、当該情報ファイルの所有者である会員でさえも削除できないことを意味している。
【０１４７】
端末装置３００は、情報サービスサーバ１０３から、ステップ７４４で画像メモリ３４０から削除した画像ファイルのロック確認を受信すると（ステップ７４４ｂ）、撮影を続行するか判別し（ステップ７４６）、続行する場合には、図１９Ａおよび図１９Ｂのステップ７３７へ戻る。
【０１４８】
このように、本実施の形態の場合には、端末装置３００の側で撮影され、情報記憶装置１００の保管領域である第１記憶装置１０１に格納された画像ファイル等の情報ファイルが、端末装置３００の側で削除されたことを契機に、通常の手順では削除できないようにロックされるので、第１記憶装置１０１に格納された利用者の情報ファイルをより確実に保護することが可能となる。
【０１４９】
本実施の形態の情報サービスシステムにおいて、情報記憶装置１００の第１記憶装置１０１に安全に保存されている情報ファイルを、情報サービスサーバ１０３が提供するサービスに直接利用することはできない。第１記憶装置１０１に安全に保存されている情報ファイルを情報サービスサーバ１０３が提供するサービスで使用するには、第１記憶装置１０１に記憶された情報ファイルを第２記憶装置１０２にコピーする必要がある。
図２１は、端末装置３００を操作して、第１記憶装置１０１に記憶された情報ファイルを第２記憶装置１０２にコピーさせる処理の一例を示すフローチャートである。
【０１５０】
端末装置３００では、情報記憶装置１００において第１記憶装置１０１から第２記憶装置１０２に画像ファイルのコピーを行わせる場合、まず、図１６Ａ及び図１６Ｂの一連の処理が終了した後に表示部３３０に表示されるサービス選択画面で、利用者が選択した画像ファイルコピーサービスを受け付けると（ステップ７４７）、画像ファイルコピー要求を情報サービスサーバ１０３に送信する（ステップ７４８）。
【０１５１】
情報サービスサーバ１０３は、画像ファイルコピー要求を受信すると（ステップ９５２）、保管領域（第１記憶装置１０１）に記憶された画像ファイルに含まれる画像のインデックス画像の一覧を端末装置３００に送信する（ステップ９５３）。
【０１５２】
端末装置３００は、受信したインデックス画像の一覧を表示部３３０に表示して、利用者に選択させ（ステップ７４９）、利用者によって選択されたインデックス画像を指定する情報を情報サービスサーバ１０３に送信する（ステップ７５０）。
【０１５３】
情報サービスサーバ１０３は、インデックス画像を指定する情報を受信すると（ステップ９５４）、インデックス画像を指定する情報で保管領域に記憶された画像ファイルを特定し（ステップ９５５）、特定された画像ファイルの複製を生成する（ステップ９５６）。
【０１５４】
次に、生成された画像ファイルの複製は、活用領域（第１記憶装置１０１）のファイル保存条件を満たすか判別する（ステップ９５７）。
【０１５５】
そして、満たさない場合には、複製された画像ファイルを活用領域のファイル保存条件に合うように変換して活用領域に保存する（ステップ９５８）。満たす場合には、画像ファイルの複製をそのまま活用領域に保存する（ステップ９５９）。
【０１５６】
指定された全てのインデックス画像に対応する画像ファイルついて活用領域へのコピーが完了したら（ステップ９６０）、コピーの完了を端末装置３００に送信する（ステップ９６１）。
これを受けた端末装置３００では、コピーの完了を表示して（ステップ７５１）、画像ファイルのコピーを終了する。
【０１５７】
次に、図２２Ａおよび図２２Ｂを参照して、本実施の形態の情報サービスシステムに登録された会員に加えて非会員を含むことができる情報共有グループのメンバー間で情報ファイルを共有させる方法の一例について説明する。
図２２Ａおよび図２２Ｂは、本実施の形態の情報サービスシステムにおいて、情報共有グループのメンバー間で情報ファイルを共有させる処理の一例を示すフローチャートである。
【０１５８】
まず、端末装置３００は、図１６Ａ及び図１６Ｂの一連の処理が終了した後にモニタ（表示部３３０）に表示されたサービス選択画面で画像共有の選択を受け付け（ステップ７５２）、画像共有要求を情報サービスサーバ１０３に送信する（ステップ７５３）。
【０１５９】
情報サービスサーバ１０３は、画像共有要求を受信すると（ステップ９６２）、活用領域（第２記憶装置１０２）に記憶された画像ファイルに含まれる画像のインデックス画像一覧を端末装置３００に送信する（ステップ９６３）。
【０１６０】
端末装置３００は、受信したインデックス画像一覧を表示部３３０に表示して使用者に選択させ（ステップ７５４）、使用者によって選択されたインデックス画像を指定する情報を情報サービスサーバ１０３に送信する（ステップ７５５）。
【０１６１】
情報サービスサーバ１０３は、インデックス画像を指定する情報を受信すると（ステップ９６４）、共有用のＷＥＢページを生成する（ステップ９６５）。
【０１６２】
その後、受信インデックス画像を指定する情報で、共有対象の画像ファイルを特定し（ステップ９６６）、特定された画像ファイルに含まれる画像の縮小画像を生成し、共有用のＷＥＢページに配置し、その縮小画像から画像ファイルにリンクを張る（ステップ９６７）。
【０１６３】
そして、指定された全ての画像ファイルについて、ＷＥＢページに配置された縮小画像からリンクを張ったかを確認し（ステップ９６８）、指定された全ての画像ファイルについてリンクの設定が完了するまで、ステップ９６６、ステップ９６７を反復する。指定された全ての画像ファイルについてリンクの設定が完了したら、情報共有グループのメンバーを入力するＷＥＢページを作成して端末装置３００に送信する（ステップ９６９）。
【０１６４】
端末装置３００は、情報共有グループのメンバーを入力するＷＥＢページを情報サービスサーバ１０３から受信して表示部３３０に表示し（ステップ７５６）、情報共有グループのメンバーのe-mailアドレスまたは会員ＩＤ１５１の入力を受け付ける（ステップ７５７）。
【０１６５】
端末装置３００は、入力された情報共有グループメンバーを指定する情報（会員ＩＤ１５１及びe-mail）を情報サービスサーバ１０３に送信する（ステップ７５８）。
【０１６６】
情報サービスサーバ１０３は、情報共有グループメンバーを指定する情報を端末装置３００から受信すると（ステップ９７０）、メンバーを指定する情報が会員ＩＤ１５１か否かを判別し（ステップ９７１）、会員ＩＤ１５１の場合には、会員管理ＤＢ１５０を参照してe-mailアドレスを取得し（ステップ９７２）、共有を知らせるe-mailを作成して、情報共有グループメンバーに送信する（ステップ９７３）。一方、ステップ９７１でＮｏの場合、すなわちメンバーを指定する情報がe-mailアドレスの場合には、そのe-mailアドレスを共有管理ＤＢ１７０に登録した後、共有を知らせるe-mailを作成して、情報共有グループメンバーに送信する（ステップ９７３）。
【０１６７】
このステップ９７１からステップ９７３の処理を、ステップ９７０で受信した、端末装置３００で指定された情報共有グループの全てのメンバーについて反復する（ステップ９７４）。
その後、情報サービスサーバ１０３は、共有用ＷＥＢページを、インターネット３０を介して公開し（ステップ９７５）、共有用ＷＥＢページの公開の確認情報を端末装置３００に送信する（ステップ９７６）。
【０１６８】
端末装置３００は、情報サービスサーバ１０３から共有用ＷＥＢページを公開の確認情報を受信して表示部３３０に表示し（ステップ７５９）、情報ファイルの共有処理を終了する。
次に、本実施の形態の情報サービスシステムにおいて、端末装置３００から情報記憶装置１００に格納された情報ファイルを削除する操作の一例について説明する。
【０１６９】
図２３Ａおよび図２３Ｂは、本実施の形態の情報記憶装置および情報サービスシステムにおける情報記憶装置１００の第１記憶装置１０１及び第２記憶装置に保存された情報ファイルを、カメラ（端末装置３００）が接続されたパーソナルコンピュータ（ネットワーク端末５０）を操作して削除する処理の一例を示すフローチャートである。
画像ファイル（情報ファイル）の削除開始に際して、ネットワーク端末５０はＷＥＢブラウザを起動し（ステップ７６０）、当該ネットワーク端末５０に接続されている端末装置３００から会員ＩＤ１５１を読み出し（ステップ７６１）、読み出した会員ＩＤ１５１を含む接続要求を情報サービスサーバ１０３に送信する（ステップ７６２）。
【０１７０】
情報サービスサーバ１０３は、接続要求を受信し、会員ＩＤ１５１を認証した後（ステップ９７８）、情報サービスサーバ１０３で提供するサービス一覧を表示するＷＥＢページを生成してネットワーク端末５０に送信する（ステップ９７９）。
【０１７１】
ネットワーク端末５０は、情報サービスサーバ１０３から受信したＷＥＢページを表示部３３０に表示し（ステップ７６３）、ＷＥＢページ上で利用者により画像ファイル削除が選択されたことを検出する（ステップ７６４）し、画像ファイル削除を特定する情報を含むサービス要求コマンドを情報サービスサーバ１０３に送信する（ステップ７６４ａ）。
【０１７２】
情報サービスサーバ１０３は、画像ファイル削除を特定する情報を含むサービス要求コマンドを受信し（ステップ９８０）、保管領域（第１記憶装置１０１）および活用領域（第２記憶装置１０２）に記憶された画像ファイルに含まれた画像のインデックス画像一覧を表示した削除対象一覧ＷＥＢページを生成してネットワーク端末５０に送信する（ステップ９８１）
ネットワーク端末５０は、情報サービスサーバ１０３から受信した削除対象一覧ＷＥＢページを表示部３３０に表示し（ステップ７６４ｂ）、ＷＥＢページ上の表示されたインデックス画像の利用者による選択を受付る（ステップ７６４ｃ）。
そして、ネットワーク端末５０は、利用者によって選択されたインデックス画像を指定する情報を含む削除コマンドを情報サービスサーバ１０３に送信する（ステップ７６４ｄ）。
【０１７３】
情報サービスサーバ１０３は、ネットワーク端末５０から削除コマンドを受信すると（ステップ９８２）、受信したインデックス画像を指定する情報は保管領域に記憶された画像ファイルに該当するか判別し（ステップ９８３）、該当する場合には、さらに、その画像ファイルはロックされているか否か（すなわち、ロックフラグ１６６ａが設定されているか否か）を判別する（ステップ９８４）。
【０１７４】
そして、ロックされている場合には、削除希望の画像ファイルがロックされていることを通知するＷＥＢページを生成してネットワーク端末５０に送信する（ステップ９８５）。
【０１７５】
一方、ステップ９８３で保管領域でないと判定された場合、または、ステップ９８４でロックされていないと判定され場合には、ネットワーク端末５０で指定された画像ファイルを削除する（ステップ９８６）。
【０１７６】
そして、情報サービスサーバ１０３は、ネットワーク端末５０から受信した削除コマンドに含まれるインデックス画像を指定する情報で特定される全ての画像ファイルについて、ステップ９８３〜ステップ９８６の処理が完了したか判別する（ステップ９８６ａ）。
【０１７７】
完了していない場合には、ステップ９８３〜ステップ９８６ａの処理を繰り返す。そして、完了している場合には、削除が完了したことを確認するＷＥＢページを生成してネットワーク端末５０に送信する（ステップ９８６ｂ）。
ネットワーク端末５０では、上述のステップ９８５またはステップ９８６ｂで情報サービスサーバ１０３から受信したＷＥＢページを表示部５５に表示し（ステップ７６４ｅ）、画像ファイルの削除を完了する。
【０１７８】
このように、本実施の形態では、保管領域（第１記憶装置１０１）に格納された画像ファイル等の情報ファイルについては、ロックフラグ１６６ａが設定されている場合には、当該情報ファイルの所有者でも削除できず、確実に保護される。
【０１７９】
次に、情報記憶装置１００に保存されている情報ファイルを利用者の端末装置３００にダウンロードする処理の一例について説明する。
図２４は、本実施の形態の情報サービスシステムにおける情報記憶装置から端末装置３００としてのカメラへの画像ファイルのダウンロードの一例を示すフローチャートである。
【０１８０】
画像ファイルのダウンロード開始に際して、端末装置３００は、会員ＩＤ１５１を含む接続要求を情報記憶装置１００の情報サービスサーバ１０３に送信する（ステップ７６６）。
【０１８１】
情報サービスサーバ１０３は、接続要求を受信し、会員ＩＤ１５１を認証した後（ステップ９８７）、保管領域（第１記憶装置１０１）および活用領域（第２記憶装置１０２）に記憶された画像ファイルのインデックス画像一覧を表示したＷＥＢページを生成して端末装置３００に送信する（ステップ９８８）。
【０１８２】
端末装置３００は、情報サービスサーバ１０３から受信したＷＥＢページを表示部３３０に表示し（ステップ７６７）、利用者にＷＥＢページ上でインデックス画像を選択させ、ダウンロードの指定を受け付ける（ステップ７６８）。
【０１８３】
端末装置３００は、選択されたインデックス画像を指定する情報を含むダウンロード要求を情報サービスサーバ１０３に送信する（ステップ７６９）。
【０１８４】
情報サービスサーバ１０３は、端末装置３００からダウンロード要求を受信すると（ステップ９８９）、インデックス画像を指定する情報で特定された画像ファイルを端末装置３００に送信する（ステップ９９０）。
【０１８５】
その後、情報サービスサーバ１０３は、ステップ９９０で端末装置３００に送信した画像ファイルは保管領域（第１記憶装置１０１）に記憶され削除禁止のためにロックされたファイルか否かを判別する（ステップ９９１）。
【０１８６】
そして、情報サービスサーバ１０３は、ロックされたファイルであった場合には、ロックフラグ１６６ａを“０”にして、当該ファイルの削除禁止のロックを解除する（ステップ９９２）。
【０１８７】
その後、情報サービスサーバ１０３は、端末装置３００から受信した削除要求で指定された全ての画像ファイルについてダウンロードが完了したか判別し（ステップ９９３）、全てのファイルについてダウンロードが完了するまで、ステップ９９０〜ステップ９９２を反復する。
【０１８８】
ステップ９９３で、指定された全てのファイルのダウンロードが完了したと判別されたら、情報サービスサーバ１０３は、画像ファイルのダウンロードが完了したことを確認するページを生成して端末装置３００に送信する（ステップ９９４）。
【０１８９】
端末装置３００は、上述のステップ９９０で情報サービスサーバ１０３から画像ファイルを受信し（ステップ７７０）、受信した画像ファイルを画像メモリに記憶する（ステップ７７１）。
【０１９０】
また、ステップ９９４で情報サービスサーバ１０３から送信されたＷＥＢページを受信して表示部３３０に表示し（ステップ７７２）、画像ファイルのダウンロードを完了する。
【０１９１】
このように、本実施の形態の場合には、情報記憶装置１００の情報サービスサーバ１０３は、保管領域（第１記憶装置１０１）に格納されている画像ファイル等の情報ファイルに関しては、端末装置３００にダウンロードが完了した後にロックフラグ１６６ａを解除して削除可能とするため、情報記憶装置１００の側の情報ファイルが削除されても、端末装置３００の側に削除された情報ファイルの複製が存在するので、例えば、誤った削除操作等によって情報ファイルが失われることを確実に防止できる。
【０１９２】
すなわち、端末装置３００における情報ファイルの保管の信頼性が向上する。
図２５は、本発明の他の実施の形態である情報記憶装置および情報サービスシステムの構成例を示す概念図である。
【０１９３】
この図２５に例示される情報サービスシステムＳ２では、ゲートウェイ２０およびＬＡＮ１０を介してインターネット３０に接続される情報記憶装置１００およびローカルバックアップシステム２００の他に、情報記憶装置１００Ａおよびローカルバックアップシステム２００Ａが、ゲートウェイ２０ＡおよびＬＡＮ１０Ａを介してインターネット３０に接続された構成となっている。
【０１９４】
この図２５の実施の形態の場合、情報記憶装置１００およびローカルバックアップシステム２００と、情報記憶装置１００Ａおよびローカルバックアップシステム２００Ａは、等価な構成を有するシステムであって、地理的に離れた互いに異なる国や地域に設置されている。
【０１９５】
情報記憶装置１００Ａ、ローカルバックアップシステム２００Ａ、ゲートウェイ２０Ａ、ＬＡＮ１０Ａの各々は、それぞれ、情報記憶装置１００、ローカルバックアップシステム２００、ゲートウェイ２０、ＬＡＮ１０と等価な構成を有している。
【０１９６】
そして、この図２５の実施の形態の場合、情報記憶装置１００のローカルバックアップシステム２００は、上述のファイルバックアップ管理ＤＢ２４０およびデータベースバックアップ管理ＤＢ２５０の双方を備えており、情報記憶装置１００Ａの側のリモートバックアップシステム５００としても機能する。
【０１９７】
同様に、情報記憶装置１００Ａのローカルバックアップシステム２００Ａは、上述のファイルバックアップ管理ＤＢ２４０およびデータベースバックアップ管理ＤＢ２５０の双方を備えており、情報記憶装置１００のリモートバックアップシステム５００としても機能する。
【０１９８】
すなわち、この図２５の実施の形態の場合には、ローカルバックアップシステム２００およびローカルバックアップシステム２００Ａが、情報記憶装置１００Ａおよび情報記憶装置１００におけるリモートバックアップシステム５００を兼ねる構成であるため、リモートバックアップシステム５００が省略され、情報サービスシステムＳ２を効率的に運用することができる。
【０１９９】
この図２５の実施の形態の場合、利用者は、ネットワーク端末５０や端末装置３００による図１５Ａおよび図１５Ｂのフローチャートに例示される会員登録時に、情報記憶装置１００または情報記憶装置１００Ａの何れを利用するかを選択して登録する。
【０２００】
このため、本実施の形態のネットワーク端末５０や端末装置３００には、情報記憶装置１００または情報記憶装置１００Ａを利用者に選択させるための機能が備えられている。
【０２０１】
この図２５の実施の形態では、複数の情報記憶装置１００および情報記憶装置１００Ａを、遠隔地の異なる国や地域に設置する場合、ローカルバックアップシステム２００およびローカルバックアップシステム２００Ａが、互いに他のリモートバックアップシステム５００を兼ねる構成とすることで、情報記憶装置１００の保管領域 (第２記憶装置１０２)に格納される情報ファイルの保管の信頼性を、低コストにて実現できる利点がある。
【産業上の利用可能性】
【０２０２】
本発明の各実施の形態によれば、ユーザから寄託された原画像データ等の情報ファイルを安全に保管すると共に、情報ファイルの多様な利用サービスを簡単に利用できる技術を提供することができる。【０２０３】
なお、本発明は、上述の実施の形態に例示した構成に限らず、その趣旨を逸脱しない範囲で種々変更可能であることは言うまでもない。
【符号の説明】
【０２０４】
１０  ＬＡＮ
１０Ａ  ＬＡＮ
２０  ゲートウェイ
２０Ａ  ゲートウェイ
３０  インターネット
４０  課金サーバ
５０  ネットワーク端末
５１  処理部
５２  ワークメモリ
５３  ハードディスク
５３ａ  プログラムメモリ
５３ｂ  画像メモリ
５３ｃ  情報メモリ
５４  通信Ｉ／Ｆ
５５  表示部
５６  操作部
５７  ネットワークＩ／Ｆ
５８  情報伝送路
１００  情報記憶装置
１００Ａ  情報記憶装置
１０１  第１記憶装置
１０１Ａ  第１記憶装置
１０２  第２記憶装置
１０２Ａ  第２記憶装置
１０３  情報サービスサーバ
１０３Ａ  情報サービスサーバ
１１０  処理部
１１０ａ  会員登録機能
１１０ｂ  会員認証機能
１１０ｃ  ファイル種別判定機能
１１０ｄ  課金処理機能
１１０ｅ  ファイル操作機能
１１０ｆ  記憶エリア設定機能
１１０ｇ  画像処理機能
１１０ｈ  ＷＥＢページ生成機能
１１０ｊ  ファイルバックアップ機能
１１０ｋ  機器判定機能
１１０ｍ  電子メール機能
１２０  外部記憶Ｉ／Ｆ
１３０  ネットワークＩ／Ｆ
１４０  機器情報ＤＢ
１４１  機種ＩＤ
１４２  機器ＩＤ
１４３  付与サイズ
１４４  付与開始日
１４５  付与終了日
１５０  会員管理ＤＢ
１５１  会員ＩＤ
１５２  個人情報
１５２ａ  電子メールアドレス
１５２ｂ  氏名
１５２ｃ  住所
１５２ｄ  ＴＥＬ番号
１５２ｅ  会員登録日
１５２ｆ  課金口座
１５２ｇ  ログインパスワード
１５３  活用エリアＩＤ
１５４  保管エリアＩＤ
１５５  保管エリア期限
１５６  登録機器数
１５７  機器シリアル番号
１６０  記憶領域管理ＤＢ
１６０Ａ  活用エリア管理ＤＢ
１６０Ｂ  保管エリア管理ＤＢ
１６１  エリアＩＤ
１６２  会員ＩＤ
１６３  期限
１６４  エリアサイズ
１６５  ファイル数
１６６  ファイルＩＤ
１６６ａ  ロックフラグ
１６７  記憶アドレス
１６８  ファイル名
１６９  ファイル種別
１６９ａ  バックアップアドレス
１６９ｂ  バックアップアドレス
１７０  共有管理ＤＢ
１７１  共有管理ＩＤ
１７２  管理者ＩＤ
１７３  共有領域アドレス
１７４  共有開始日
１７５  共有終了日
１７６  ゲストＩＤ
２００  ローカルバックアップシステム
２００Ａ  ローカルバックアップシステム
２０１  バックアップサーバ
２０１Ａ  バックアップサーバ
２０２  記憶装置
２０２Ａ  記憶装置
２１０  処理部
２２０  外部記憶Ｉ／Ｆ
２３０  ネットワークＩ／Ｆ
２４０  ファイルバックアップ管理ＤＢ
２４１  ファイルＩＤ
２４２  ファイル名
２４３  会員ＩＤ
２４４  オリジナル記憶アドレス
２４５  バックアップ記憶アドレス
２４６  バックアップ日時
２５０  データベースバックアップ管理ＤＢ
２５１  データベースＩＤ
２５２  ファイル名
２５３  オリジナルアドレス
２５４  バックアップアドレス
２５５  バックアップ日時
３００  端末装置
３１０  画像処理部
３２０  撮像部
３３０  表示部
３４０  画像メモリ
３５０  コントローラ
３５１  プログラムメモリ
３５２  操作部
３６０  機器ＩＤメモリ
３７０  アクセサリＩ／Ｆ
３８０  ネットワークＩ／Ｆ
３９０  通信Ｉ／Ｆ
４００  アクセサリ
４１０  コントローラ
４２０  発光部
４３０  表示部
４４０  操作部
４５０  アクセサリＩＤメモリ
４６０  プログラムメモリ
４７０  アクセサリＩ／Ｆ
５００  リモートバックアップシステム
【図１】
0005425306.tif 000002
【図２】
0005425306.tif 000003
【図３】
0005425306.tif 000004
【図４】
0005425306.tif 000005
【図５】
0005425306.tif 000006
【図６】
0005425306.tif 000007
【図７】
0005425306.tif 000008
【図８】
0005425306.tif 000009
【図９】
0005425306.tif 000010
【図１０】
0005425306.tif 000011
【図１１】
0005425306.tif 000012
【図１２】
0005425306.tif 000013
【図１３】
0005425306.tif 000014
【図１４】
0005425306.tif 000015
【図１５Ａ】
0005425306.tif 000016
【図１５Ｂ】
0005425306.tif 000017
【図１６Ａ】
0005425306.tif 000018
【図１６Ｂ】
0005425306.tif 000019
【図１７Ａ】
0005425306.tif 000020
【図１７Ｂ】
0005425306.tif 000021
【図１８】
0005425306.tif 000022
【図１９Ａ】
0005425306.tif 000023
【図１９Ｂ】
0005425306.tif 000024
【図２０】
0005425306.tif 000025
【図２１】
0005425306.tif 000026
【図２２Ａ】
0005425306.tif 000027
【図２２Ｂ】
0005425306.tif 000028
【図２３Ａ】
0005425306.tif 000029
【図２３Ｂ】
0005425306.tif 000030
【図２４】
0005425306.tif 000031
【図２５】
0005425306.tif 000032